(57)【特許請求の範囲】
【請求項１】
少なくとも第１色、第２色、第３色の３色を表示する電気光学装置であって、
複数の走査線と、
前記複数の走査線と交差する複数の第１データ線、前記複数の走査線と交差する複数の第２データ線、及び、前記複数の走査線と交差する複数の第３データ線、を含む複数のデータ線と、
前記複数の第１データ線と前記複数の走査線との交差に対応して設けられ前記第１色を表示する複数の第１画素、前記複数の第２データ線と前記複数の走査線との交差に対応して設けられ前記第２色を表示する複数の第２画素、及び、前記複数の第３データ線と前記複数の走査線との交差に対応して設けられ前記第３色を表示する複数の第３画素、を含む複数の画素と、
前記複数の第１データ線を介して前記複数の第１画素の各々に第１データ信号を供給する第１データ信号出力部、前記複数の第２データ線を介して前記複数の第２画素の各々に第２データ信号を供給する第２データ信号出力部、及び、前記複数の第３データ線を介して前記複数の第３画素の各々に第３データ信号を供給する第３データ信号出力部、を含むデータ線駆動回路と、
を備え、
前記第１データ信号出力部は、第１領域に配置され、
前記第２データ信号出力部の少なくとも一部は、第２領域に配置され、
前記第３データ信号出力部は、前記第１領域及び前記第２領域に配置され、
前記複数の画素は、前記第１領域と前記第２領域との間に設けられ、
前記第１色は、前記第２色及び前記第３色に比べて視感度が高い、
ことを特徴とする電気光学装置。
【請求項２】
前記第２データ信号出力部は、前記第１領域及び前記第２領域に配置される、
ことを特徴とする、請求項１に記載の電気光学装置。
【請求項３】
前記第１色の光は、５３５ｎｍの波長の光を含む、
ことを特徴とする、請求項１または２に記載の電気光学装置。
【請求項４】
前記表示部は、
前記複数の走査線と交差する複数の第４データ線と、
前記複数の第４データ線及び前記複数の走査線との交差に対応して設けられ、第４色を表示する複数の第４画素と、
を備え、
前記電気光学装置は、
前記複数の第４データ線を介して前記複数の第４画素の各々に第４データ信号を供給する第４データ信号出力部を備え、
前記第４データ信号出力部は、
前記第１領域または前記第２領域の一方または双方に配置される、
ことを特徴とする、請求項１乃至３のうちいずれか１項に記載の電気光学装置。
【請求項５】
前記データ線駆動回路は、
前記複数の第１データ線のうちｐ（ｐは２以上の自然数）本の第１データ線と、前記第１データ信号出力部との間に接続され、前記ｐ本の第１データ線と前記第１データ信号出力部との電気的接続を切り替える第１切替回路と、
前記複数の第２データ線のうちｑ（ｑは２以上の自然数）本の第２データ線と、前記第２データ信号出力部との間に接続され、前記ｑ本の第２データ線と前記第２データ信号出力部との電気的接続を切り替える第２切替回路と、
前記複数の第３データ線のうちｒ（ｒは２以上の自然数）本の第３データ線と、前記第３データ信号出力部との間に接続され、前記ｒの第３データ線と前記第３データ信号出力部との電気的接続を切り替える第３切替回路と、
前記複数の第３データ線のうち前記ｒ本の第３データ線とは異なるｓ（ｓは２以上の自然数）本の第３データ線と、前記第３データ信号出力部との間に接続され、前記ｓ本の第３データ線と前記第３データ信号出力部との電気的接続を切り替える第４切替回路と、
を備え、
前記第１切替回路及び前記第３切替回路は、前記第１領域に配置され、
前記第４切替回路は、前記第２領域に配置される
ことを特徴とする、請求項１乃至３のうちいずれか１項に記載の電気光学装置。
【請求項６】
前記データ線駆動回路は、
前記第１領域に配置され、前記第１データ信号が時分割多重された状態で供給される第１信号線と、
前記第２領域に配置され、前記第２データ信号が時分割多重された状態で供給される第２信号線と、
前記第１領域に配置され、前記第３データ信号が時分割多重された状態で供給される第３信号線と、
前記第２領域に配置され、前記第３データ信号が時分割多重された状態で供給される第４信号線と、
を備え、
前記第１データ信号出力部は、前記複数の第１データ線の各々と前記第１信号線との間に接続された複数の第１トランジスターを備え、
前記第２データ信号出力部は、前記複数の第２データ線のうち少なくとも一部の第２データ線の各々と前記第２信号線との間に接続された複数の第２トランジスターを備え、
前記第３データ信号出力部は、前記複数の第３データ線のうち一部の第３データ線の各々と前記第３信号線との間に接続された複数の第３トランジスターと、前記複数の第３データ線のうち前記一部の第３データ線を除く２以上の第３データ線と前記第４信号線との間に接続された複数の第４トランジスターと、を備える
ことを特徴とする、請求項１乃至３のうちいずれか１項に記載の電気光学装置。
【請求項７】
請求項１乃至６のいずれかに記載の電気光学装置を備える
ことを特徴とする電子機器。
【発明の詳細な説明】
【技術分野】
【０００１】
本発明は、電気光学装置及び電子機器に関する。
【背景技術】
【０００２】
有機発光ダイオード（Organic Light Emitting Diode、以下「ＯＬＥＤ」という）素子などの発光素子を用いて画像を表示する電気光学装置が各種提案されている。この電気光学装置では、表示すべき画像の画素に対応して、発光素子やトランジスター等を含む画素回路が設けられる。具体的には、電気光学装置は、複数の走査線と、複数のデータ線と、複数の走査線及び複数のデータ線の交差に対応して設けられる複数の画素回路と、複数の走査線を駆動する走査線駆動回路と、複数のデータ線を駆動するデータ線駆動回路とを備える構成が一般的である。（例えば特許文献１参照）。
ところで、近年、電気光学装置に対して、表示サイズの小型化や表示の高精細化が要求されることが多い。表示サイズの小型化や表示の高精細化に伴い画素が狭ピッチ化される場合、データ線のピッチも画素のピッチに合わせて狭くする必要がある。このような、データ線の狭ピッチ化に対応するために、データ線駆動回路を、複数の画素が設けられる領域を挟む２つの領域に分散して配置する構成が提案されている（例えば特許文献２参照）。
【先行技術文献】
【特許文献】
【０００３】
【特許文献１】特開２００７−３１６４６２号公報
【特許文献２】特開２００９−０８６２６２号公報
【発明の概要】
【発明が解決しようとする課題】
【０００４】
しかし、データ線駆動回路を２つの領域に分散して配置すると、一方の領域に設けられた素子の特性と、他方の領域に設けられた素子の特性とが異なることがある。この場合、２つの領域に配置されたデータ線駆動回路の素子特性の差異に起因して、表示ムラ等が生じ、表示品位が低下するという問題があった。
本発明は、上述した事情を鑑みてなされたものであり、その目的の一つは、表示品位を低下させることなく、データ線駆動回路を２つの領域に分散して配置した電気光学装置及び電子機器を提供することである。
【課題を解決するための手段】
【０００５】
上記目的を達成するために本発明に係る電気光学装置は、少なくとも第１色、第２色、第３色の３色を表示する電気光学装置であって、複数の走査線と、前記複数の走査線と交差する複数の第１データ線、前記複数の走査線と交差する複数の第２データ線、及び、前記複数の走査線と交差する複数の第３データ線、を含む複数のデータ線と、前記複数の第１データ線と前記複数の走査線との交差に対応して設けられ前記第１色を表示する複数の第１画素、前記複数の第２データ線と前記複数の走査線との交差に対応して設けられ前記第２色を表示する複数の第２画素、及び、前記複数の第３データ線と前記複数の走査線との交差に対応して設けられ前記第３色を表示する複数の第３画素、を含む複数の画素と、前記複数の第１データ線を介して前記複数の第１画素の各々に第１データ信号を供給する第１データ信号出力部、前記複数の第２データ線を介して前記複数の第２画素の各々に第２データ信号を供給する第２データ信号出力部、及び、前記複数の第３データ線を介して前記複数の第３画素の各々に第３データ信号を供給する第３データ信号出力部、を含むデータ線駆動回路と、を備え、前記第１データ信号出力部は、第１領域に配置され、前記第２データ信号出力部の少なくとも一部は、第２領域に配置され、前記第３データ信号出力部は、前記第１領域及び前記第２領域に配置され、前記複数の画素は、前記第１領域と前記第２領域との間に設けられ、前記第１色は、前記第２色及び前記第３色に比べて視感度が高い、ことを特徴とする。
【０００６】
データ線駆動回路は、複数のデータ線と１対１に対応する単位回路を備える構成が一般的である。しかし、画素回路及びデータ線を狭ピッチ化する場合、当該単位回路のピッチも画素回路及びデータ線のピッチにあわせて狭くする必要がある。
これに対して、本発明によれば、データ線駆動回路を第１領域及び第２領域に分散して配置するため、データ線駆動回路を構成する複数の単位回路の間隔を、データ線の間隔に比べて約２倍とすることができる。このため、データ線駆動回路を微細化することなく、データ線の狭ピッチ化を実現することが可能となる。すなわち、画素及びデータ線の狭ピッチ化が求められる場合であっても、データ線駆動回路に対して要求される微細化の程度を緩やかにすることができるため、データ線駆動回路の製造の容易化、製造コストの抑制が可能となる。
このように、本発明によれば、データ線駆動回路を微細化することなく、画素及びデータ線を狭ピッチ化することができる。
【０００７】
また、この発明によれば、第１データ信号出力部を第１領域に集約して配置する一方で、第３データ信号出力部を第１領域及び第２領域に分散して配置する。
データ線駆動回路を２つの異なる領域に分散して配置する場合、一方の領域に形成される素子の特性と、他方の領域に形成される素子の特性とが、相違することがある。すなわち、第１領域及び第２領域に分散して配置される第３データ信号出力部を構成する複数の素子の特性は、ばらつきを有する。この場合には、電気光学装置が表示する画像のうち、第３色に対応する部分には、表示ムラ等の表示上の不具合が生じることがある。一方、第１データ信号出力部は、第１領域に集約して配置されるため、第１データ信号出力部を構成する複数の素子の特性のばらつきは小さい。よって、電気光学装置が表示する画像のうち、第１色に対応する部分には、表示ムラ等の表示上の不具合が生じる可能性は低い。
通常、視感度は色によって異なる。従って、３種類の色の中で視感度の低い色を第３色とする場合、仮に、画像の中で第３色に対応する部分に表示上の不具合が生じたとしても、当該表示上の不具合が観察者に知覚される可能性を低減することができる。一方、３種類の色の中で視感度の高い色を第１色とする場合、画像の中での第１色に対応する部分に表示上の不具合が生じることを防止することができる。なお、電気光学装置が、赤色、緑色、及び、青色を表示する場合、例えば、第１色を緑色、第２色を赤色、第３色を青色としてもよい。
このように、データ線駆動回路を第１領域及び第２領域に分散して配置する場合であっても、画素の表示色に基づいて配置を決定することにより、表示品位の低下を最小限に留めることが可能となる。すなわち、本発明によれば、データ線駆動回路を第１領域及び第２領域に分散して配置することにより、画素及びデータ線の狭ピッチ化を実現するとともに、色の種類によりデータ線駆動回路の配置を決定することにより、表示品位の低下を防止することが可能となる。
【０００８】
また、上述した電気光学装置において、前記第２データ信号出力部は、前記第１領域及び前記第２領域に配置される、態様としてもよい。
第２データ信号出力部及び第３データ信号出力部の双方を、第１領域及び第２領域に分散して配置する場合、これらに対応する第２色及び第３色の視感度が低ければ、電気光学装置が表示する画像のうち第２色及び第３色に対応する部分に表示上の不具合が生じたとしても、当該表示上の不具合が観察者に知覚される可能性は低い。従って、この発明によれば、表示品位の低下を防止しつつ、画素及びデータ線の狭ピッチ化を実現することができる。
【００１０】
また、上述した電気光学装置において、前記第１色の光は、５３５ｎｍの波長の光を含む、ことが好ましい。
波長が５３５ｎｍの光は、緑色に対応する。緑色は、赤色及び青色に比べて視感度が高い。従って、データ線駆動回路を第１領域及び第２領域に分散して配置する場合であっても、第１色を緑色とすることで、表示品位の低下を最小限に留めることができる。
【００１１】
また、上述した電気光学装置において、前記表示部は、前記複数の走査線と交差する複数の第４データ線と、前記複数の第４データ線及び前記複数の走査線との交差に対応して設けられ、第４色を表示する複数の第４画素と、を備え、前記電気光学装置は、前記複数の第４データ線を介して前記複数の第４画素の各々に第４データ信号を供給する第４データ信号出力部を備え、前記第４データ信号出力部は、前記第１領域または前記第２領域の一方または双方に配置される、態様としてもよい。
電気光学装置が、４種類の色を表示する場合であっても、データ線駆動回路の中で視感度の高い色に対応する部分を第１領域または第２領域の一方に配置することで、表示品位の低下を最小限に留めることができる。なお、第４色の具体例としては、例えば、白色や、黄色等を採用することができる。第４色として白色を採用する場合、白色は視感度の高い緑色を含むため、第４データ信号出力部は、第１領域または第２領域の一方に集約して配置されることが好ましい。
【００１２】
また、上述した電気光学装置において、前記データ線駆動回路は、前記複数の第１データ線のうちｐ（ｐは２以上の自然数）本の第１データ線と、前記第１データ信号出力部との間に接続され、前記ｐ本の第１データ線と前記第１データ信号出力部との電気的接続を切り替える第１切替回路と、前記複数の第２データ線のうちｑ（ｑは２以上の自然数）本の第２データ線と、前記第２データ信号出力部との間に接続され、前記ｑ本の第２データ線と前記第２データ信号出力部との電気的接続を切り替える第２切替回路と、前記複数の第３データ線のうちｒ（ｒは２以上の自然数）本の第３データ線と、前記第３データ信号出力部との間に接続され、前記ｒ本の第３データ線と前記第３データ信号出力部との電気的接続を切り替える第３切替回路と、前記複数の第３データ線のうち前記ｒ本の第３データ線とは異なるｓ（ｓは２以上の自然数）本の第３データ線と、前記第３データ信号出力部との間に接続され、前記ｓ本の第３データ線と前記第３データ信号出力部との電気的接続を切り替える第４切替回路と、を備え、前記第１切替回路及び前記第３切替回路は、前記第１領域に配置され、前記第４切替回路は、前記第２領域に配置されることが好ましい。
より具体的には、前記複数の第１データ線、前記複数の第２データ線、前記複数の第３データ線のうち前記第１領域に配置された前記第３データ信号出力部から第３データ信号が供給される複数の第３データ線、及び、前記複数の第３データ線のうち前記第２領域に配置された前記第３データ信号出力部から第３データ信号が供給される複数の第３データ線は、それぞれ、所定数毎にグループ化され、前記データ線駆動回路は、前記複数の第１データ線の各グループに対応して、前記第１領域に設けられた複数の第１切替回路、前記複数の第２データ線の各グループに対応して、少なくとも一部が前記第２領域に設けられた複数の第２切替回路、前記第１領域に配置された前記第３データ信号出力部から第３データ信号が供給される複数の第３データ線の各グループに対応して、前記第１領域に設けられた複数の第３切替回路、及び、前記第２領域に配置された前記第３データ信号出力部から第３データ信号が供給される複数の第３データ線の各グループに対応して、前記第２領域に設けられた複数の第４切替回路、を含む複数の切替回路、を備え、前記複数の切替回路の各々は、所定数の切替スイッチを具備し、前記所定数の切替スイッチの入力端は、接続ノードに共通接続され、１のグループに属する所定数の前記データ線は、当該グループに対応して設けられた前記切替回路の備える前記所定数の切替スイッチの出力端にそれぞれ接続され、前記第１データ信号出力部は、前記複数の第１切替回路の備える前記接続ノードの各々に時分割多重された第１データ信号を供給し、前記第２データ信号出力部は、前記複数の第２切替回路の備える前記接続ノードの各々に時分割多重された第２データ信号を供給し、前記第３データ信号出力部は、前記複数の第３切替回路の備える前記接続ノードの各々に時分割多重された第３データ信号を供給し、前記複数の第４切替回路の備える前記接続ノードの各々に時分割多重された第３データ信号を供給し、前記所定数の切替スイッチは、時分割多重された第１乃至第３データ信号の供給に同期して所定の順番でオンする、態様であってもよい。
【００１３】
この発明によれば、データ線を所定数毎にグループ化するため、データ線駆動回路を微細化することなく、画素及びデータ線の狭ピッチ化が可能となる。
また、第１色に対応する第１切替回路及び第１データ信号出力部を第１領域に集約して配置するため、第１切替回路及び第１データ信号出力部を構成する素子の特性のばらつきを小さく抑えることができる。これにより、表示品位の低下を最小限に留めることが可能となる。
【００１４】
また、上述した電気光学装置において、前記データ線駆動回路は、前記第１領域に配置され、前記第１データ信号が時分割多重された状態で供給される第１信号線と、前記第２領域に配置され、前記第２データ信号が時分割多重された状態で供給される第２信号線と、前記第１領域に配置され、前記第３データ信号が時分割多重された状態で供給される第３信号線と、前記第２領域に配置され、前記第３データ信号が時分割多重された状態で供給される第４信号線と、を備え、前記第１データ信号出力部は、前記複数の第１データ線の各々と前記第１信号線との間に接続された複数の第１トランジスターを備え、前記第２データ信号出力部は、前記複数の第２データ線のうち少なくとも一部の第２データ線の各々と前記第２信号線との間に接続された複数の第２トランジスターを備え、前記第３データ信号出力部は、前記複数の第３データ線のうち一部の第３データ線の各々と前記第３信号線との間に接続された複数の第３トランジスターと、前記複数の第３データ線のうち前記一部の第３データ線を除く２以上の第３データ線と前記第４信号線との間に接続された複数の第４トランジスターと、を備える、ことが好ましい。
より具体的には、前記データ線駆動回路は、前記第１領域に配置され、時分割多重された前記第１データ信号及び時分割多重された前記第３データ信号が供給される所定数の第１領域接続信号線と、前記第２領域に配置され、時分割多重された前記第２データ信号及び時分割多重された前記第４データ信号が供給される所定数の第２領域接続信号線と、を備え、前記複数のデータ線のうち、前記第１領域接続信号線から前記第１データ信号または前記第３データ信号が供給される複数のデータ線を第１領域接続データ線としたとき、前記複数の第１領域接続データ線は、所定数毎にグループ化され、前記複数のデータ線のうち、前記第２領域接続信号線から前記第２データ信号または前記第３データ信号が供給される複数のデータ線を第２領域接続データ線としたとき、前記複数の第２領域接続データ線は、所定数毎にグループ化され、前記第１データ信号出力部、前記第２データ信号出力部、及び、前記第３データ信号出力部は、前記第１領域に配置され、前記第１領域接続データ線の各グループに対応して、所定数毎にグループ化された複数の第１領域トランジスターと、前記第２領域に配置され、前記第２領域接続データ線の各グループに対応して、所定数毎にグループ化された複数の第２領域トランジスターと、を備え、１のグループに属する所定数の第１領域トランジスターの各々は、前記所定数の第１領域接続信号線の各々と、当該グループに属する前記所定数の第１領域接続データ線の各々との間に電気的に接続され、１のグループに属する所定数の第２領域トランジスターの各々は、前記所定数の第２領域接続信号線の各々と当該グループに属する前記所定数の第２領域接続データ線の各々との間に電気的に接続され、前記複数の第１領域トランジスターは、グループ毎にオンし、前記複数の第２領域トランジスターは、グループ毎にオンする、態様であってもよい。
【００１５】
この発明によれば、第１色に対応する第１データ信号出力部を第１領域に集約して配置するため、第１データ信号出力部を構成する素子の特性のばらつきを小さく抑えることができる。これにより、データ線駆動回路を第１領域及び第２領域に分散して配置する場合であっても、表示品位の低下を最小限に留めることが可能となる。
【００１６】
なお、本発明は、電気光学装置のほか、当該電気光学装置を有する電子機器として概念することも可能である。電子機器としては、典型的にはヘッドマウント・ディスプレイ（ＨＭＤ）や電子ビューファイダーのなどの表示装置が挙げられる。
【図面の簡単な説明】
【００１７】
【図１】本発明の第１実施形態に係る電気光学装置の構成を示す斜視図である。
【図２】同電気光学装置の構成を示す図である。
【図３】同電気光学装置における画素回路の回路図である。
【図４】同電気光学装置における表示部及びデータ線駆動回路の構成を示す図である。
【図５】本発明の第２実施形態に係る電気光学装置の表示部及びデータ線駆動回路の構成を示す図である。
【図６】同電気光学装置における切替回路の回路図である。
【図７】本発明の第３実施形態に係る電気光学装置の構成を示す図である。
【図８】同電気光学装置における表示部及びデータ線駆動回路の構成を示す図である。
【図９】本発明の変形例２に係る電気光学装置の表示部及びデータ線駆動回路の構成を示す図である。
【図１０】本発明の変形例３に係る電気光学装置の表示部及びデータ線駆動回路の構成を示す図である。
【図１１】本発明の変形例５に係る電気光学装置の画素回路の回路図である。
【図１２】本発明の変形例６に係る電気光学装置の構成を示す斜視図である。
【図１３】実施形態等に係る電気光学装置を用いたＨＭＤを示す斜視図である。
【図１４】ＨＭＤの光学構成を示す図である。
【発明を実施するための形態】
【００１８】
以下、本発明を実施するための形態について図面を参照して説明する。
【００１９】
＜第１実施形態＞
図１は、本発明の実施形態に係る電気光学装置１の構成を示す斜視図である。電気光学装置１は、画像を表示する表示パネル２と、表示パネル２の動作を制御する制御部５とを備える。
表示パネル２は、複数の画素回路と、当該画素回路を駆動する駆動回路とを備える。本実施形態において、表示パネル２が備える複数の画素回路及び駆動回路は、シリコン基板に形成され、画素回路には、発光素子の一例であるＯＬＥＤが用いられる。また、表示パネル２は、例えば、表示部で開口する枠状のケース５０１に収納されるとともに、ＦＰＣ（Flexible Printed Circuits）基板５０２の一端が接続される。
ＦＰＣ基板５０２には、半導体チップの制御部５が、ＣＯＦ（Chip On Film）技術によって実装されるとともに、複数の端子５０３が設けられて、図示省略された上位回路に接続される。
【００２０】
図２は、実施形態に係る電気光学装置１の構成を示すブロック図である。上述のとおり、電気光学装置１は、表示パネル２と、制御部５とを備える。
制御部５には、図示省略された上位回路より、デジタルの画像データＶideoが同期信号に同期して供給される。ここで、画像データＶideoとは、表示パネル２（厳密には、後述する表示部１０）が備える複数の画素各々が表示すべき階調レベルを例えば８ビットで規定するデータである。また、同期信号とは、垂直同期信号、水平同期信号、及び、ドットクロック信号を含む信号である。
制御部５は、同期信号に基づいて制御信号Ｃtrを生成するとともに、画像データＶideoに基づいてデジタルの画像信号Ｖid1及び画像信号Ｖid2を生成し、これらを表示パネル２及び対して供給する。ここで、制御信号Ｃtrとは、パルス信号や、クロック信号、イネーブル信号等を含む信号である。なお、画像信号Ｖid1及び画像信号Ｖid2についての詳細は後述する。
【００２１】
一方、表示パネル２は、表示部１０と、これを駆動する駆動回路３とを備える。
表示部１０には、複数の画素Ｐixがマトリクス状に配列されている。詳細には、表示部１０において、Ｍ行の走査線１２が図２において横方向（Ｘ方向）に延在して設けられ、また、（３Ｎ）列のデータ線１４が図２において縦方向（Ｙ方向）に延在し、かつ、各走査線１２と互いに電気的な絶縁を保って設けられている。そして、Ｍ行の走査線１２と（３Ｎ）列のデータ線１４との交差部に対応して画素Ｐixが設けられている。このため、本実施形態において画素Ｐixは、縦Ｍ行×横（３Ｎ）列のマトリクス状に配列されている。
【００２２】
ここで、Ｍ、Ｎは、いずれも自然数である。また、本実施形態において、Ｎは偶数である。
走査線１２及び画素Ｐixのマトリクスのうち、行（ロウ）を区別するために、図２において上から順に１、２、３、…、（Ｍ−１）、Ｍ行と呼ぶ場合がある。同様にデータ線１４及び画素Ｐixのマトリクスの列（カラム）を区別するために、図２において左から順に１、２、３、…、（３Ｎ−１）、（３Ｎ）列と呼ぶ場合がある。
また、データ線１４のグループを一般化して説明するために、１以上Ｎ以下の任意の整数ｎを用いると、左から数えてｎ番目のグループには、（３ｎ−２）列目、（３ｎ−１）列目及び（３ｎ）列目の３本のデータ線１４が属している、ということになる。
詳細は後述するが、同一行の走査線１２と同一グループに属する３本のデータ線１４との交差に対応した３つの画素Ｐixは、それぞれ、赤色（Ｒ）、緑色（Ｇ）、青色（Ｂ）を表示し、これらの３つの画素Ｐixが、表示すべきカラー画像の１ドットを表現する。すなわち、本実施形態では、ＲＧＢに対応した３つの画素Ｐixによって１ドットのカラーを加法混色で表現する構成となっている。なお、以下では、緑色を「第１色」と称し、赤色を「第２色」と称し、青色を「第３色」と称する場合がある。
【００２３】
また、駆動回路３は、走査線駆動回路２０、第１データ線駆動回路３０、及び、第２データ線駆動回路４０を備える。なお、以下では、第１データ線駆動回路３０及び第２データ線駆動回路４０を「データ線駆動回路」と総称する場合がある。
【００２４】
走査線駆動回路２０は、走査信号Gwrを１行目〜Ｍ行目の走査線１２に供給する。より具体的には、走査線駆動回路２０は、１フレームの期間おいて１行目〜Ｍ行目の走査線１２を、１水平走査期間毎に１行毎に順次排他的に走査するための走査信号Gwrを、制御信号Ｃtrにしたがって生成する。ここで、１、２、３、…、Ｍ行目の走査線１２に供給される走査信号Gwrを、それぞれＧwr[1]、Ｇwr[2]、Ｇwr[3]、…、Ｇwr[M]と表記している。
なお、フレームの期間とは、電気光学装置１が１カット（コマ）分の画像を表示するのに要する期間をいい、例えば同期信号に含まれる垂直同期信号の周波数が１２０Ｈｚであれば、その１周期分の８．３ミリ秒の期間である。
【００２５】
データ線駆動回路（第１データ線駆動回路３０及び第２データ線駆動回路４０）は、デジタルの画像信号Ｖid1及び画像信号Ｖid2に基づいて、アナログのデータ信号Ｖd[1]、Ｖd[2]、…、Ｖd[3N]を生成し、それぞれ、１、２、…、（３Ｎ）列目のデータ線１４に対して供給する。
なお、表示パネル２において、第１データ線駆動回路３０が配置される領域を「第１領域」と称し、第２データ線駆動回路４０が配置される領域を「第２領域」と称する。また、図２に示すように、表示部１０は、第１領域と第２領域との間の領域に配置される。
【００２６】
図３は、各画素Ｐixが備える画素回路１１０の回路図である。各画素Ｐixが備える画素回路１１０は電気的にみれば互いに同一構成なので、ここでは、ｍ行ｎ列に位置する画素Ｐixが備える画素回路１１０を例にとって説明する。なお、ｍは、画素回路１１０が配列する行を一般的に示す場合の記号であって、１以上Ｍ以下の整数である。
図３に示されるように、画素回路１１０は、ＰチャネルＭＯＳ型のトランジスター１２１、１２２と、ＯＬＥＤ１３０と、保持容量１３２とを備える。
【００２７】
トランジスター１２２は、ゲートが、ｍ行目の走査線１２に電気的に接続され、ソースまたはドレインの一方が、ｎ列目のデータ線１４に電気的に接続され、ソースまたはドレインの他方が、トランジスター１２１のゲート及び保持容量１３２の一端にそれぞれ電気的に接続されている。また、トランジスター１２２のゲートには、走査線駆動回路２０からｍ行目の走査線１２を介して、走査信号Gwr[m]が供給される。すなわち、トランジスター１２２は、トランジスター１２１のゲートとデータ線１４との間に電気的に接続され、トランジスター１２１のゲートとデータ線１４との間の電気的な接続を制御する。
トランジスター１２１は、ソースが給電線１１６に、ドレインがＯＬＥＤ１３０のアノードに、それぞれ電気的に接続されている。ここで、給電線１１６には、画素回路１１０において電源の高位側となる電位Ｖelが給電される。このトランジスター１２１は、トランジスター１２１のゲート及びソース間の電圧に応じた電流を、ＯＬＥＤ１３０に供給する。
本実施形態において表示パネル２はシリコン基板に形成されるので、トランジスター１２１、及びトランジスター１２２の基板電位は電位Ｖelとしている。
なお、上記におけるトランジスター１２１及び１２２のソース、ドレインはトランジスター１２１、１２２のチャネル型、電位の関係に応じて入れ替わってもよい。また、トランジスターは薄膜トランジスターであっても電界効果トランジスターであってもよい。
【００２８】
ＯＬＥＤ１３０のアノードは、画素回路１１０毎に個別に設けられる画素電極である。これに対して、ＯＬＥＤ１３０のカソードは、画素回路１１０のすべてにわたって共通の共通電極１１８であり、画素回路１１０において電源の低位側となる電位Ｖctに保たれている。ＯＬＥＤ１３０は、上記シリコン基板において、ＯＬＥＤ１３０のアノードと光透過性を有するカソードとで白色有機ＥＬ層を挟持した素子である。そして、ＯＬＥＤ１３０の出射側（カソード側）にはＲＧＢのいずれかに対応したカラーフィルターが重ねられる。
このようなＯＬＥＤ１３０において、アノードからカソードに電流が流れると、アノードから注入された正孔とカソードから注入された電子とが有機ＥＬ層で再結合して励起子が生成され、白色光が発生する。このときに発生した白色光は、シリコン基板（アノード）とは反対側のカソードを透過し、カラーフィルターによる着色を経て、観察者側に視認される構成となっている。
【００２９】
保持容量１３２は、一端がトランジスター１２１のゲートに、他端が給電線１１６に、それぞれ電気的に接続されている。従って、トランジスター１２２がオフしている間、トランジスター１２１のゲート・ソース間の電圧は、保持容量１３２によって一定の値に保たれることになる。
より具体的には、走査線駆動回路２０がｍ行目の走査線１２を走査する水平走査期間においてトランジスター１２２がオンして、トランジスター１２１のゲートノードにデータ信号Ｖd[n]が供給される。その後、トランジスター１２２がオフすると、トランジスター１２１のゲートノードの電位は、保持容量１３２によって、データ信号Ｖd[n]の示す電位に維持される。従って、トランジスター１２２がオフしてから、１フレームの期間の経過後に再びトランジスター１２２がオンするまでの間、当該画素Ｐixはデータ信号Ｖd[n]に規定される階調を表示することになる。
なお、保持容量１３２としては、トランジスター１２１のゲートノードに寄生する容量を用いてもよいし、シリコン基板において互いに異なる導電層で絶縁層を挟持することによって形成される容量を用いてもよい。
【００３０】
以下では、図４を参照しつつ、データ線駆動回路が備える第１データ線駆動回路３０及び第２データ線駆動回路４０と、（３Ｎ）列のデータ線１４（各データ線１４に対応して設けられる画素Ｐix）との関係について説明する。
【００３１】
前述のとおり、各走査線１２と同一グループに属する３本のデータ線との交差に対応した３つの画素Ｐixは、それぞれ、赤色、緑色、青色を表示する。以下では、緑色を表示する画素Ｐixを第１画素ＰixGと称し、赤色を表示する画素Ｐixを第２画素ＰixRと称し、青色を表示する画素Ｐixを第３画素ＰixBと称する。
また、図４に示すように、第１画素ＰixGに対応する２、５、…、（３Ｎ−１）列目のＮ本のデータ線１４の各々を、第１データ線１４Gと称し、第２画素ＰixRに対応する１、４、…、（３Ｎ−２）列目のＮ本のデータ線１４の各々を、第２データ線１４Rと称し、第３画素ＰixBに対応する３、６、…、（３Ｎ）列目のＮ本のデータ線１４の各々を、第３データ線１４Bと称する。
なお、データ線駆動回路がＮ本の第１データ線１４Gに対して供給するデータ信号Ｖd[2]、Ｖd[5]、…、Ｖd[3N-1]を、第１データ信号ＶdG[1]、ＶdG[2]、…、ＶdG[N]と称し、Ｎ本の第２データ線１４Rに対して供給するデータ信号Ｖd[1]、Ｖd[4]、…、Ｖd[3N-2]を、第２データ信号ＶdR[1]、ＶdR[2]、…、ＶdR[N]と称し、Ｎ本の第３データ線１４Bに対して供給するデータ信号Ｖd[3]、Ｖd[6]、…、Ｖd[3N]を、第３データ信号ＶdB[1]、ＶdB[2]、…、ＶdB[N]と称する。
【００３２】
一方、データ線駆動回路は、（３Ｎ）列のデータ線１４の各々に対応して設けられた、（３Ｎ）個のデータ信号出力回路Ｕを備える。各データ信号出力回路Ｕは、ＤＡ変換回路、バッファ回路等を備える。そして、各データ信号出力回路Ｕは、デジタルの画像信号Ｖid1（または、画像信号Ｖid2）に基づいて、アナログのデータ信号Ｖdを生成し、対応するデータ線１４に対して出力する。
また、（３Ｎ）個のデータ信号出力回路Ｕは、Ｎ本の第１データ線１４Gの各々に対応して設けられたＮ個の第１データ信号出力回路ＵG[1]〜ＵG[N]、Ｎ本の第２データ線１４Rの各々に対応して設けられたＮ個の第２データ信号出力回路ＵR[1]〜ＵR[N]、及び、Ｎ本の第３データ線１４Bの各々に対応して設けられたＮ個の第３データ信号出力回路ＵB[1]〜ＵB[N]に分類される。
１以上Ｎ以下の任意の整数ｎを用いると、第１データ信号出力回路ＵG[n]は、第１データ信号ＶdG[n]を生成し、これを、左から数えてｎ番目のグループに属する第１データ線１４G（すなわち、「（３ｎ−２）列目」のデータ線１４）に対して供給する。第２データ信号出力回路ＵR[n]は、第２データ信号ＶdR[n]を生成し、これを、左から数えてｎ番目のグループに属する第２データ線１４R（すなわち、「（３ｎ−１）列目」のデータ線１４）に対して供給する。第３データ信号出力回路ＵB[n]は、第３データ信号ＶdB[n]を生成し、これを、左から数えてｎ番目のグループに属する第３データ線１４B（すなわち、「（３ｎ）列目」のデータ線１４）に対して供給する。
【００３３】
なお、図４に示すように、Ｎ個の第１データ信号出力回路ＵG[1]〜ＵG[N]は、第１データ線駆動回路３０（すなわち、第１領域）に設けられる。以下では、Ｎ個の第１データ信号出力回路ＵG[1]〜ＵG[N]を、「第１データ信号出力部」と総称する場合がある。
また、Ｎ個の第２データ信号出力回路ＵR[1]〜ＵR[N]は、第２データ線駆動回路４０（すなわち、第２領域）に設けられる。以下では、Ｎ個の第２データ信号出力回路ＵR[1]〜ＵR[N]を、「第２データ信号出力部」と総称する場合がある。
Ｎ個の第３データ信号出力回路ＵB[1]〜ＵB[N]のうち、奇数番目の第３データ信号出力回路ＵB[1]、ＵB[3]、…、ＵB[N-1]は、第１データ線駆動回路３０（第１領域）に設けられ、偶数番目の第３データ信号出力回路ＵB[2]、ＵB[4]、…、ＵB[N]は、第２データ線駆動回路４０（第２領域）に設けられる。以下では、Ｎ個の第３データ信号出力回路ＵB[1]〜ＵB[N]を、「第３データ信号出力部」と総称する場合がある。
このように、第１データ信号出力部は第１領域に設けられ、第２データ信号出力部は第２領域に設けられるのに対して、第３データ信号出力部は、第１領域及び第２領域の双方に分散して配置される。
【００３４】
なお、図２に示した制御部５は、画像データＶideoのうち、第１領域に設けられたデータ信号出力回路Ｕが出力するデータ信号Ｖdに対応する画像データを、デジタルの画像信号Ｖid1として第１データ線駆動回路３０に供給し、第２領域に設けられたデータ信号出力回路Ｕが出力するデータ信号Ｖdに対応する画像データを、デジタルの画像信号Ｖid2として第２データ線駆動回路４０に供給する。なお、本実施形態では、画像信号Ｖid1及び画像信号Ｖid2はデジタルの信号であるが、画像信号Ｖid1及び画像信号Ｖid2はアナログの信号であってもよい。この場合、制御部５はＤＡ変換回路を備えるものであればよい。
また、データ線駆動回路は、各水平走査期間において、データ信号Ｖd[1]、Ｖd[2]、…、Ｖd[3N]を、一斉に線順次で出力してもよいし、データ信号Ｖd[1]、Ｖd[2]、…、Ｖd[3N]を各データ線１４毎に順次排他的に点順次で出力してもよい。
【００３５】
上述した本実施形態では、（３Ｎ）個のデータ信号出力回路Ｕを、第１領域と第２領域とに分散して配置した。これにより、例えば、（３Ｎ）個のデータ信号出力回路Ｕを、第１領域または第２領域の一方に配置する場合に比べて、データ信号出力回路Ｕのピッチを広くすることができるため、データ線駆動回路の製造の簡素化が可能となる。
また、この場合、データ信号出力回路Ｕに比べて、画素Ｐixを狭ピッチ化することができる。すなわち、画素Ｐixのピッチを、データ信号出力回路Ｕのピッチの約半分にすることができるため、画素Ｐixを狭ピッチ化による、表示の高精細化が可能となる。
【００３６】
ところで、第１画素ＰixGから発せられる緑色の光（第１画素ＰixGの備えるＯＬＥＤ１３０から発せられ、第１画素ＰixGの備えるカラーフィルタを透過した光）は、中心値を５３５ｎｍとして、５００〜５７０ｎｍの範囲の波長を有する。また、第２画素ＰixRから発せられる赤色の光は、中心値を６７０ｎｍとして、６００〜７４０ｎｍの範囲の波長を有する。第３画素ＰixBから発せられる青色の光は、中心値を４７０ｎｍとして、４５０〜４９０ｎｍの範囲の波長を有する。
一般的に、緑色の光は、赤色の光に比べて視感度が高く、赤色の光は、青色の光に比べて視感度が高い。そのため、第１画素ＰixGの表示する色（緑色）の変化は、第２画素ＰixRの表示する色（赤色）の変化、または、第３画素ＰixBの表示する色（青色）の変化に比べて、観察者に容易に知覚される。
【００３７】
上述のとおり、複数のデータ信号出力回路Ｕの各々は、ＤＡ変換回路やバッファ回路等を備える。これら各種回路を構成するトランジスター等の素子の特性は、半導体プロセスの誤差に起因して、データ信号出力回路Ｕ毎に相対的なばらつきを有する。半導体プロセスの誤差の程度は、基板上の位置により異なるため、複数のデータ信号出力回路Ｕを基板上の離れた位置に分散して設ける場合には、複数のデータ信号出力回路Ｕを基板上の近い位置に集約して設ける場合に比べて、各データ信号出力回路Ｕの備える素子の特性のばらつきも大きくなる。そして、データ信号出力回路Ｕを構成する各種素子の特性が、データ信号出力回路Ｕ毎にばらつく場合、画像データＶideo（画像信号Ｖid1または画像信号Ｖid2）の指定する階調と、データ信号Ｖdにより規定される階調との間の誤差の程度もばらつく。この場合、画像データＶideoが画素Ｐixに指定する階調と、当該画素Ｐixが実際に表示する階調との差異の程度が、画素Ｐix毎に異なることになり、表示ムラが発生する。
特に、視感度の高い緑色に対応する第１データ信号出力回路ＵGの素子特性が、第１データ信号出力回路ＵG毎にばらつく場合には、表示ムラが観察者に知覚される可能性が高く、表示品位の低下が顕在化しやすい。
【００３８】
これに対して、本実施形態では、視感度の最も高い緑色に対応した第１データ信号出力回路ＵG[1]〜ＵG[N]を、第１領域に集約して配置する。従って、半導体プロセスの誤差に起因する第１データ信号出力回路ＵG毎の素子特性のばらつきを小さく抑えることができ、表示ムラが観察者に知覚される可能性を低減することができる。
また、本実施形態では、第３データ信号出力回路ＵB[1]〜ＵB[N]を、第１領域及び第２領域に分散して配置する。従って、半導体プロセスの誤差に起因する第３データ信号出力回路ＵB毎の素子特性のばらつきは、第１データ信号出力回路ＵGに比べて大きい。しかし、第３データ信号出力回路ＵBの表示する青色は、緑色及び赤色に比べて視感度が低いため、第３データ信号出力回路ＵB毎の素子特性にばらつきが生じても、当該素子特性のばらつきに起因する表示ムラが観察者に知覚される可能性は低く、表示品位の劣化を最小限に留めることができる。
【００３９】
このように、本実施形態では、（３Ｎ）個のデータ信号出力回路Ｕを第１領域及び第２領域に分散して配置することで、データ線１４及び画素Ｐixの狭ピッチ化と、データ線駆動回路の製造の簡素化とを可能とするとともに、第１データ信号出力回路ＵG[1]〜ＵG[N]を第１領域に集約して配置することで、表示品位の劣化を防止することができた。
【００４０】
＜第２実施形態＞  
第１実施形態では、複数のデータ線１４に１対１に対応するようにデータ信号出力回路Ｕを設けた。この場合、第１領域及び第２領域に複数のデータ信号出力回路Ｕを分散して配置しても、画素Ｐixのピッチを、データ信号出力回路Ｕのピッチの半分以下にすることはできない。このため、画素Ｐixを狭ピッチ化し高密度で配置する際に、データ信号出力回路Ｕのピッチが制約となる場合がある。このような問題に対応するために、第２実施形態では、（３Ｎ）列のデータ線１４を所定数毎にグループ化し、各グループに対して１個のデータ信号出力回路を設けることで、データ信号出力回路Ｕのピッチによる制約を受けずに画素Ｐixの狭ピッチ化することを可能とする。
なお、以下に例示する各形態において作用や機能が第１実施形態と同等である要素については、以上の説明で参照した符号を流用して各々の詳細な説明を適宜に省略する。
【００４１】
図５は、第２実施形態に係る電気光学装置１ａのうち、データ線駆動回路及び表示部１０の構成を示すブロック図である。図５に示す第２実施形態に係る電気光学装置１ａが、図２に示した第１実施形態に係る電気光学装置１と相違する点は、主として、データ線駆動回路が、３本のデータ線１４毎に１個の切替回路ＤＭＰ（デマルチプレクサ）を備える点、及び、
切替回路ＤＭＰと１対１に対応してデータ信号出力回路が設けられる点である。
【００４２】
第２実施形態に係る電気光学装置１ａは、第１実施形態に係る電気光学装置１と同様に、
Ｎ本の第１データ線１４G、Ｎ本の第２データ線１４R、及び、Ｎ本の第３データ線１４Bを備える。なお、本実施形態では、Ｎは６の倍数とし、「Ｎ＝３×Ｊ」を満たす整数（偶数）Ｊを導入する。そして、１以上Ｊ以下の任意の整数をｊで表すこととする。
【００４３】
図５に示すように、第２実施形態に係る電気光学装置１ａは、第１データ線駆動回路３０の代わりに第１データ線駆動回路３０ａを備え、第２データ線駆動回路４０の代わりに第２データ線駆動回路４０ａを備える点を除き、第１実施形態に係る電気光学装置１と同様に構成される。なお、第１データ線駆動回路３０ａと第２データ線駆動回路４０ａとが、第２実施形態に係るデータ線駆動回路に相当する。
また、第１データ線駆動回路３０ａは、表示パネル２の第１領域に形成され、第２データ線駆動回路４０ａは、表示パネル２の第２領域に形成され、表示部１０は、第１領域と第２領域との間の領域に形成される。
【００４４】
また、第２実施形態に係るデータ線駆動回路は、Ｎ個（３Ｊ個）のデータ信号出力回路Ｕａと、Ｎ個（３Ｊ個）の切替回路ＤＭＰと、を備える。
Ｎ個のデータ信号出力回路Ｕａは、第１画素ＰixGにデータ信号を供給するＪ個の第１データ信号出力回路ＵａG[1]〜ＵａG[J]、第２画素ＰixRにデータ信号を供給するＪ個の第２データ信号出力回路ＵａR[1]〜ＵａR[J]、及び、第３画素ＰixBにデータ信号を供給するＪ個の第３データ信号出力回路ＵａB[1]〜ＵａB[J]に分類される。
Ｊ個の第１データ信号出力回路ＵａG[1]〜ＵａG[J]は、「第１データ信号出力部」に相当し、第１データ線駆動回路３０ａ（第１領域）に設けられる。Ｊ個の第２データ信号出力回路ＵａR[1]〜ＵａR[J]は、「第２データ信号出力部」に相当し、第２データ線駆動回路４０ａ（第２領域）に設けられる。
また、Ｊ個の第３データ信号出力回路ＵａB[1]〜ＵａB[J]のうち、奇数番目の第３データ信号出力回路ＵａB[1]、ＵａB[3]、…、ＵａB[J-1]は、第１データ線駆動回路３０ａ（第１領域）に設けられ、偶数番目の第３データ信号出力回路ＵａB[2]、ＵａB[4]、…、ＵａB[N]は、第２データ線駆動回路４０ａ（第２領域）に設けられる。これらＪ個の第３データ信号出力回路ＵａB[1]〜ＵａB[N]が、「第３データ信号出力部」に相当する。
【００４５】
Ｎ個の切替回路ＤＭＰは、Ｊ個の切替回路ＤＭＰG[1]〜ＤＭＰG[J]、Ｊ個の切替回路ＤＭＰR[1]〜ＤＭＰR[J]、及びＪ個の切替回路ＤＭＰB[1]〜ＤＭＰB[J]に分類される。
第１データ線駆動回路３０ａには、図５に示すように、Ｊ個の第１データ信号出力回路ＵａG[1]、ＵａG[2]、…、ＵａG[J]の各々に対応して、Ｊ個の切替回路ＤＭＰG[1]、ＤＭＰG[2]、…、ＤＭＰG[J]が設けられ、奇数番目の第３データ信号出力回路ＵａB[1]、ＵａB[3]、…、ＵａB[J-1]の各々に対応して、（Ｊ／２）個の切替回路ＤＭＰB[1]、ＤＭＰB[3]、…、ＤＭＰB[J-1]が設けられる。なお、以下では、第１領域（第１データ線駆動回路３０ａ）に設けられるＪ個の切替回路ＤＭＰG[1]、ＤＭＰG[2]、…、ＤＭＰG[J]の各々を第１切替回路と称する場合がある。また、第１領域（第１データ線駆動回路３０ａ）に設けられる（Ｊ／２）個の切替回路ＤＭＰB[1]、ＤＭＰB[3]、…、ＤＭＰB[J-1]の各々を、第３切替回路と称する場合がある。
第２データ線駆動回路４０ａには、図５に示すように、Ｊ個の第２データ信号出力回路ＵａR[1]、ＵａR[2]、…、ＵａR[J]の各々に対応して、Ｊ個の切替回路ＤＭＰR[1]、ＤＭＰR[2]、…、ＤＭＰR[J]が設けられ、偶数番目の第３データ信号出力回路ＵａB[2]、ＵａB[4]、…、ＵａB[J]の各々に対応して、（Ｊ／２）個の切替回路ＤＭＰB[2]、ＤＭＰB[4]、…、ＤＭＰB[J]が設けられる。なお、以下では、第２領域（第２データ線駆動回路４０ａ）に設けられるＪ個の切替回路ＤＭＰR[1]、ＤＭＰR[2]、…、ＤＭＰR[J]の各々を第２切替回路と称する場合がある。また、第１領域（第１データ線駆動回路３０ａ）に設けられる（Ｊ／２）個の切替回路ＤＭＰB[2]、ＤＭＰB[4]、…、ＤＭＰB[J]の各々を、第４切替回路と称する場合がある。
このように、Ｊ個の切替回路ＤＭＰG[1]〜ＤＭＰG[J]は、第１領域に設けられ、Ｊ個の切替回路ＤＭＰR[1]〜ＤＭＰR[J]は、第２領域に設けられ、Ｊ個の切替回路ＤＭＰB[1]〜ＤＭＰB[J]は、第１領域及び第２領域に分散して設けられる。
【００４６】
また、Ｎ本の第１データ線１４Gは、図５において左側から３本毎にグループ化される。すなわち、Ｎ本の第１データ線１４Gは、Ｊ個のグループにグループ化される。１以上Ｊ以下の任意の整数ｊを用いると、ｊ番目のグループに属する、（３ｊ−２）、（３ｊ−１）、（３ｊ）番目の３本の第１データ線１４G、すなわち、（９ｊ−７）、（９ｊ−４）、（９ｊ−１）列目の３本のデータ線１４が、切替回路ＤＭＰG[j]に共通に接続される。
同様に、Ｎ本の第２データ線１４Rは、図５において左側から３本毎に、Ｊ個のグループにグループ化される。そして、ｊ番目のグループに属する、（３ｊ−２）、（３ｊ−１）、（３ｊ）番目の３本の第２データ線１４R、すなわち、（９ｊ−８）、（９ｊ−５）、（９ｊ−２）列目の３本のデータ線１４が、切替回路ＤＭＰR[j]に共通に接続される。
また、図５において、左側から奇数番目に位置する第３データ線１４Bが３本毎にグループ化されるとともに、左側から偶数番目に位置する第３データ線１４Bが３本毎にグループ化される。これにより、Ｎ本の第３データ線１４Bは、Ｊ個のグループにグループ化される。そして、ｊが奇数の場合には、ｊ番目のグループに属する、（３ｊ−２）、（３ｊ）、（３ｊ＋２）番目の３本の第３データ線１４B、すなわち、（９ｊ−６）、（９ｊ）、（９ｊ＋６）列目の３本のデータ線１４が、切替回路ＤＭＰB[j]に共通に接続される。また、ｊが偶数の場合には、ｊ番目のグループに属する、（３ｊ−４）、（３ｊ−２）、（３ｊ）番目の３本の第３データ線１４B、すなわち、（９ｊ−１２）、（９ｊ−６）、（９ｊ）列目の３本のデータ線１４が、切替回路ＤＭＰB[j]に共通に接続される。
【００４７】
１以上Ｊ以下の任意の整数ｊを用いると、図５に示すように、ｊ番目の第１データ信号出力回路ＵａG[j]は、切替回路ＤＭＰG[j]に第１データ多重信号ＶdＭG[j]を供給する。また、ｊ番目の第２データ信号出力回路ＵａR[j]は、切替回路ＤＭＰR[j]に第２データ多重信号ＶdＭR[j]を供給する。同様に、ｊ番目の第３データ信号出力回路ＵａB[j]は、切替回路ＤＭＰB[j]に第３データ多重信号ＶdＭB[j]を供給する。
ここで、第１データ多重信号ＶdＭG[j]とは、切替回路ＤＭＰG[j]に電気的に接続された３本の第１データ線１４Gに供給される第１データ信号ＶdG[3j-2]、ＶdG[3j-1]、ＶdG[3j]を時分割多重した信号である。また、第２データ多重信号ＶdＭR[j]とは、切替回路ＤＭＰR[j]に電気的に接続された３本の第２データ線１４Rに供給される第２データ信号ＶdR[3j-2]、ＶdR[3j-1]、ＶdR[3j]を時分割多重した信号である。第３データ多重信号ＶdＭB[j]とは、切替回路ＤＭＰB[j]に電気的に接続された３本の第３データ線１４Bに供給される第３データ信号ＶdB[3j-2]、ＶdB[3j]、ＶdB[3j+2]（ｊが偶数の場合には、第３データ信号ＶdB[3j-4]、ＶdB[3j-2]、ＶdB[3j]）を時分割多重した信号である。
なお、以下では、第１データ多重信号ＶdＭG[j]、第２データ多重信号ＶdＭR[j]、及び第３データ多重信号ＶdＭB[j]を、データ多重信号ＶdＭ[j]と総称する場合がある。
【００４８】
図６は、切替回路ＤＭＰの構成を示す回路図である。各切替回路ＤＭＰは電気的にみれば同一の構成であるため、この図では、切替回路ＤＭＰG[j]を例示している。図６に示すように、各切替回路ＤＭＰは、３つのトランスミッションゲートＳｗ１〜Ｓｗ３を備える。なお、以下では、各トランスミッションゲートＳｗを「切替スイッチ」と称する場合がある。
トランスミッションゲートＳｗ１〜Ｓｗ３の各々の入力端は接続ノードＮに共通接続され、接続ノードＮには、対応するデータ信号出力回路Ｕａ（この例では、第１データ信号出力回路ＵａG[j]）から、データ多重信号ＶdＭ[j]（この例では、第１データ多重信号ＶdＭG[j]）が供給される。
また、トランスミッションゲートＳｗ１〜Ｓｗ３の出力端は、それぞれ、当該切替回路ＤＭＰに対応する３本のデータ線１４に電気的に接続される。すなわち、図６に示す例では、トランスミッションゲートＳｗ１は、（３ｊ−２）番目の第１データ線１４Gに、トランスミッションゲートＳｗ２は、（３ｊ−１）番目の第１データ線１４Gに、トランスミッションゲートＳｗ３は、（３ｊ）番目の第１データ線１４Gに、それぞれ接続される。
【００４９】
トランスミッションゲートＳｗ１は、制御信号Ｓel[1]がＨレベルであるとき（制御信号／Ｓel[1]がＬレベルであるとき）にオン（導通）する。同様に、トランスミッションゲートＳｗ２は、制御信号Ｓel[2]がＨレベルであるとき（制御信号／Ｓel[2]がＬレベルであるとき）にオンする。トランスミッションゲートＳｗ３は、制御信号Ｓel[3]がＨレベルであるとき（制御信号／Ｓel[3]がＬレベルであるとき）にオンする。
制御信号Ｓel[1]、Ｓel[2]、Ｓel[3]は、データ多重信号ＶdＭ[j]の電位の切り替えに同期して、１水平走査期間の中で、順次排他的にＨレベルに設定される。これにより、トランスミッションゲートＳｗ１〜Ｓｗ３は、１水平走査期間の中で順番にオンし、当該切替回路ＤＭＰに接続する３本のデータ線１４に、順番にデータ信号Ｖdが供給される。
すなわち、図６に示す例では、第１データ多重信号ＶdＭG[j]の電位が、第１データ信号ＶdG[3j-2]の電位と等しい値に設定されているときに、トランスミッションゲートＳｗ１がオンし、（３ｊ−２）番目の第１データ線１４Gに、第１データ信号ＶdG[3j-2]が供給される。また、第１データ多重信号ＶdＭG[j]の電位が、第１データ信号ＶdG[3j-1]の電位と等しい値に設定されているときに、トランスミッションゲートＳｗ２がオンし、（３ｊ−１）番目の第１データ線１４Gに、第１データ信号ＶdG[3j-1]が供給される。同様に、第１データ多重信号ＶdＭG[j]の電位が、第１データ信号ＶdG[3j]の電位と等しい値に設定されているときに、トランスミッションゲートＳｗ３がオンし、（３ｊ）番目の第１データ線１４Gに、第１データ信号ＶdG[3j]が供給される。
なお、本実施形態では、制御信号Ｓel[1]及び制御信号／Ｓel[1]は、Ｎ個の切替回路ＤＭＰが備えるＮ個のトランスミッションゲートＳｗ１に共通に供給され、制御信号Ｓel[2]及び制御信号／Ｓel[2]は、Ｎ個の切替回路ＤＭＰが備えるＮ個のトランスミッションゲートＳｗ２に共通に供給され、制御信号Ｓel[3]及び制御信号／Ｓel[3]は、Ｎ個の切替回路ＤＭＰが備えるＮ個のトランスミッションゲートＳｗ３に共通に供給される。
【００５０】
以上のように、第２実施形態では、（３Ｎ）列のデータ線１４（及び、画素Ｐix）に対して、Ｎ個のデータ信号出力回路Ｕａを設けた。さらに、Ｎ個のデータ信号出力回路Ｕａを第１領域及び第２領域に分散して配置させた。すなわち、図５においてデータ線１４（及び、画素Ｐix）が横方向に（３Ｎ）列配置されるのに対して、データ信号出力回路Ｕａは、第１領域に（Ｎ／２）個配置され、第２領域に（Ｎ／２）個配置される。
これにより、データ線１４（及び、画素Ｐix）の間隔を、データ信号出力回路Ｕａの間隔の１／６程度にまで狭くすることが可能となり、データ線１４及び画素Ｐixの狭ピッチ化が可能となる。
【００５１】
また、第２実施形態では、ＲＧＢの中で視感度の最も高い緑色を表示する第１画素ＰixGに対応する、第１データ信号出力回路ＵａG[1]〜ＵａG[J]及び切替回路ＤＭＰG[1]〜ＤＭＰG[J]を、第１領域に集約して配置した。
これにより、半導体プロセスの誤差に起因する、第１データ信号出力回路ＵａG毎の素子特性のばらつき、及び、切替回路ＤＭＰG毎の素子特性のばらつきを小さく抑えることができ、表示ムラが観察者に知覚される可能性を低減した。
すなわち、第２実施形態では、Ｎ個のデータ信号出力回路Ｕａを第１領域及び第２領域に分散して配置することで、データ線１４及び画素Ｐixの狭ピッチ化、または、データ線駆動回路の製造の簡素化を可能とするとともに、第１データ信号出力回路ＵａG[1]〜ＵａG[J]と、切替回路ＤＭＰG[1]〜ＤＭＰG[J]とを第１領域に集約して配置することで、表示品位の劣化を最小限に留めることを可能とした。
【００５２】
なお、上述した第２実施形態では、データ線１４を３本毎にグループ化し、３本のデータ線１４に対して１個の切替回路ＤＭＰを設けたが、グループを構成するデータ線数は、「２」であってもよいし、「４」以上であってもよい。
データ線１４を所定数毎にグループ化する場合には、所定数のデータ線１４に対して１個の切替回路ＤＭＰを設ければよい。また、この場合、各切替回路ＤＭＰは、所定数のトランスミッションゲートＳｗを備えればよい。
また、上述した第２実施形態では、Ｎを６の倍数としたが、Ｎは６の倍数以外の値であってもよい。但し、データ線１４を所定数毎にグループ化する場合、Ｎが、所定数に「２」を乗算した値の倍数であれば、全ての切替回路ＤＭＰを電気的に等しい構成（つまり、等しい数のトランスミッションゲートＳｗを備える構成）とすることができる。
また、上述した第２実施形態では、データ線１４は所定数毎にグループ化されたが、各グループに属するデータ線１４の本数は、異なっていても構わない。例えば、切替回路ＤＭＰGはｐ（ｐは２以上の自然数）本の第１データ線１４Gに接続され、切替回路ＤＭＰRはｑ（ｑは２以上の自然数）本の第２データ線１４Rに接続され、第１データ線駆動回路３０ａに設けられる切替回路ＤＭＰB（第３切替回路）はｒ（ｒは２以上の自然数）本の第３データ線１４Bに接続され、第２データ線駆動回路４０ａに設けられる切替回路ＤＭＰB（第４切替回路）はｓ（ｓは２以上の自然数）本の第３データ線１４Bに接続されるものであってもよい。この場合、ｐ、ｑ、ｒ、ｓは各々が異なる値であってもよいし、等しい値であってもよい。
【００５３】
また、上述した第２実施形態では、第１データ信号出力回路ＵａG、第２データ信号出力回路ＵａR、及び、第３データ信号出力回路ＵａBをデータ線駆動回路内に設けたが、これらを表示パネル２の外部（例えば、制御部５）に設けてもよい。この場合、表示パネル２の小型化、データ線１４の狭ピッチ化が可能となる。
【００５４】
＜第３実施形態＞  
以下、図７及び図８参照しつつ、第３実施形態に係る電気光学装置１ｂについて説明する。
第３実施形態に係る電気光学装置１ｂが、図２に示した第１実施形態に係る電気光学装置１と相違する点は、主として、デジタルの画像信号Ｖid1、Ｖid2から、アナログのデータ信号Ｖdへの変換を、表示パネル２の外部に設けられた出力回路６において実行する点である。
【００５５】
図７に示すように、第３実施形態に係る電気光学装置１ｂは、表示パネル２の代わりに表示パネル２ｂを備える点、及び、出力回路６を備える点を除き、第１実施形態に係る電気光学装置１と同様に構成される。
第３実施形態に係る表示パネル２ｂは、第１データ線駆動回路３０の代わりに第１データ線駆動回路３０ｂを備え、第２データ線駆動回路４０の代わりに第２データ線駆動回路４０ｂを備える点を除き、第１実施形態に係る表示パネル２と同様に構成される。これら、第１データ線駆動回路３０ｂと第２データ線駆動回路４０ｂとが、第２実施形態に係るデータ線駆動回路に相当する。
第１データ線駆動回路３０ｂは、表示パネル２ｂの第１領域に形成され、シフトレジスタ３１、複数のトランジスターＴG、及び、複数のトランジスターＴBを備える。以下では、トランジスターＴGを第１トランジスターと称する場合がある。また、第１領域に形成されるトランジスターＴBを第３トランジスターと称する場合がある。
また、第２データ線駆動回路４０ｂは、表示パネル２ｂの第２領域に形成され、シフトレジスタ４１、複数のトランジスターＴR、及び、複数のトランジスターＴBを備える。以下では、トランジスターＴRを第２トランジスターと称する場合がある。また、第２領域に形成されるトランジスターＴBを第４トランジスターと称する場合がある。
なお、第３実施形態においても、表示部１０は、第１領域と第２領域との間の領域に形成される。また、第１データ線駆動回路３０ｂ、第２データ線駆動回路４０ｂ、及び、走査線駆動回路２０を、駆動回路３ｂと総称する場合がある。
【００５６】
一方、出力回路６は、第１出力回路３００、及び、第２出力回路４００を備える。
図７に示すように、第１出力回路３００は、制御部５が出力する画像信号Ｖid1と制御信号Ｃtrとに基づいて、第１多重データ信号Ｄ1を生成し、これを信号線３１０（第１領域接続信号線）に出力する。また、第２出力回路４００は、制御部５が出力する画像信号Ｖid2と制御信号Ｃtrとに基づいて、第２多重データ信号Ｄ2を生成し、これを信号線４１０（第２領域接続信号線）に出力する。
【００５７】
より具体的には、図８に示すように、第１多重データ信号Ｄ1は、多重データ信号ＤG1、ＤB1、ＤG2、ＤG3、ＤD3、ＤG4を含む信号である。また、信号線３１０は、６本の信号線３１１〜３１６から構成される。そして、第１出力回路３００は、信号線３１１〜３１６の各々に対して、多重データ信号ＤG1、ＤB1、ＤG2、ＤG3、ＤD3、ＤG4を、それぞれ出力する。
同様に、第２多重データ信号Ｄ2は、多重データ信号ＤR1、ＤB2、ＤR2、ＤR3、ＤB4、ＤR4を含む信号である。また、信号線４１０は、６本の信号線４１１〜４１６から構成される。そして、第２出力回路４００は、信号線４１１〜４１６の各々に対して、多重データ信号ＤR1、ＤB2、ＤR2、ＤR3、ＤB4、ＤR4を、それぞれ出力する。
図８に示すように、信号線３１１〜３１６（信号線３１０）の各々は、第１領域において横方向（Ｘ方向）に延在するように設けられ、信号線４１１〜４１６（信号線４１０）の各々は、第２領域において横方向（Ｘ方向）に延在するように設けられる。
【００５８】
第３実施形態においても、表示パネル２ｂ（表示部１０）は、第１実施形態に係る表示パネル２と同様に、Ｎ本の第１データ線１４G、Ｎ本の第２データ線１４R、及び、Ｎ本の第３データ線１４Bを備える。なお、本実施形態において、Ｎは４の倍数とする。以下、説明の便宜上、「Ｎ＝４×Ｋ」を満たす整数Ｋを導入する。また、１以上Ｋ以下の任意の整数をｋで表すこととする。
【００５９】
第１データ線駆動回路３０ｂ（第１領域）には、Ｎ本の第１データ線１４Gと１対１に対応して、Ｎ個のＰチャネルＭＯＳ型トランジスターＴGが設けられるとともに、Ｎ本の第３データ線１４Bのうち、図において左から数えて奇数番目の（Ｎ／２）本の第３データ線１４Bと１対１に対応して、（Ｎ／２）個のＰチャネルＭＯＳ型トランジスターＴBが設けられる。
第２データ線駆動回路４０ｂ（第２領域）には、Ｎ本の第２データ線１４Rと１対１に対応して、Ｎ個のＰチャネルＭＯＳ型トランジスターＴRが設けられるとともに、Ｎ本の第３データ線１４Bのうち、図において左から数えて偶数番目の（Ｎ／２）本の第３データ線１４Bと１対１に対応して、（Ｎ／２）個のＰチャネルＭＯＳ型トランジスターＴBが設けられる。
なお、第３実施形態においては、第１領域に設けられるＮ個のトランジスターＴGが「第１データ信号出力部」に相当し、第２領域に設けられるＮ個のトランジスターＴRが「第２データ信号出力部」に相当し、第１領域及び第２領域に分散して設けられる合計Ｎ個のトランジスターＴBが「第３データ信号出力部」に相当する。
【００６０】
より具体的には、第１データ線駆動回路３０ｂ（第１領域）には、１以上Ｋ以下の任意の整数ｋに対して、左から（４ｋ−３）番目の第１データ線１４Gと信号線３１１との間に電気的に接続されたトランジスターＴG、左から（４ｋ−２）番目の第１データ線１４Gと信号線３１３との間に電気的に接続されたトランジスターＴG、左から（４ｋ−１）番目の第１データ線１４Gと信号線３１４との間に電気的に接続されたトランジスターＴG、及び、左から（４ｋ）番目の第１データ線１４Gと信号線３１６との間に電気的に接続されたトランジスターＴGと、左から（４ｋ−３）番目の第３データ線１４Bと信号線３１２との間に電気的に接続されたトランジスターＴB、及び、左から（４ｋ−１）番目の第３データ線１４Bと信号線３１５との間に電気的に接続されたトランジスターＴBとが設けられる。
これら第１領域に設けられたトランジスターを、「第１領域トランジスター」と称する場合がある。また、データ線１４のうち、第１領域トランジスターと電気的に接続されるデータ線１４を、「第１領域接続データ線」と称する場合がある。すなわち、第１データ線駆動回路３０ｂには、（６Ｋ）個の第１領域トランジスターが設けられ、表示パネル２ｂには、（６Ｋ）本の第１領域接続データ線が設けられる。
また、第２データ線駆動回路４０ｂ（第２領域）には、左から（４ｋ−３）番目の第２データ線１４Rと信号線４１１との間に電気的に接続されたトランジスターＴR、左から（４ｋ−２）番目の第２データ線１４Rと信号線４１２との間に電気的に接続されたトランジスターＴR、左から（４ｋ−１）番目の第２データ線１４Rと信号線４１４との間に電気的に接続されたトランジスターＴR、及び、左から（４ｋ）番目の第２データ線１４Rと信号線４１５との間に電気的に接続されたトランジスターＴRと、左から（４ｋ−２）番目の第３データ線１４Bと信号線４１３との間に電気的に接続されたトランジスターＴB、及び、左から（４ｋ）番目の第３データ線１４Bと信号線４１６との間に電気的に接続されたトランジスターＴBとが設けられる。
これら第２領域に設けられたトランジスターを、「第２領域トランジスター」と称する場合がある。また、データ線１４のうち、第２領域トランジスターと電気的に接続されるデータ線１４を、「第２領域トランジスター」と称する場合がある。すなわち、第２データ線駆動回路４０ｂには、（６Ｋ）個の第２トランジスターが設けられ、表示パネル２ｂには、（６Ｋ）本の第２領域接続データ線が設けられる。
【００６１】
なお、図８に示すように、（４ｋ−３）番目、（４ｋ−２）番目、（４ｋ−１）番目、（４ｋ）番目の第１データ線１４Gとは、それぞれ、（１２ｋ−１０）列目、（１２ｋ−７）列目、（１２ｋ−４）列目、（１２ｋ−１）列目のデータ線１４である。また、（４ｋ−３）番目、（４ｋ−２）番目、（４ｋ−１）番目、（４ｋ）番目の第２データ線１４Rとは、それぞれ、（１２ｋ−１１）列目、（１２ｋ−８）列目、（１２ｋ−５）列目、（１２ｋ−２）列目のデータ線１４である。（４ｋ−３）番目、（４ｋ−２）番目、（４ｋ−１）番目、（４ｋ）番目の第３データ線１４Bとは、それぞれ、（１２ｋ−９）列目、（１２ｋ−６）列目、（１２ｋ−３）列目、（１２ｋ）列目のデータ線１４である。
【００６２】
（６Ｋ）本の第１領域接続データ線は、図８において左側から６本毎にグループ化される。すなわち、第１領域接続データ線は、Ｋ個のグループにグループ化される。また、（６Ｋ）個の第１領域トランジスターは、第１領域接続データ線の各グループに対応して、左側から６個毎に、Ｋ個のグループにグループ化される。
シフトレジスタ３１は、Ｋ個の選択信号Ｓ1[1]〜Ｓ1[K]を出力する。選択信号Ｓ1[1]〜Ｓ1[K]は、第１多重データ信号Ｄ1の電位の切替に同期して、１水平走査期間の中で、順次排他的にＬレベルに設定される。
なお、第１多重データ信号Ｄ1を構成する多重データ信号ＤG1、ＤB1、ＤG2、ＤG3、ＤD3、ＤG4の各々は、当該多重データ信号が供給される信号線３１０に第１領域トランジスターを介して電気的に接続される複数のデータ線１４に対して供給されるデータ信号Ｖdを時分割多重した信号である。一例を挙げると、多重データ信号ＤG1は、信号線３１１にトランジスターＴGを介して接続するＫ本の第１データ線１４Gの各々に供給する第１データ信号ＶdG[1]、ＶdG[5]、…、ＶdG[4K-3]を時分割多重した信号である。
また、選択信号Ｓ1[k]は、ｋ番目のグループに属する６個の第１領域トランジスターのゲートに、共通に供給される。これにより、（６Ｋ）個の第１領域トランジスターは、１番目、２番目、…、Ｋ番目のグループ毎に、順次排他的にオンする。
そして、選択信号Ｓ1[k]がＬレベルに設定され、ｋ番目のグループに属する６個の第１領域トランジスターがオンする場合、（４ｋ−３）番目の第１データ線１４Gには、信号線３１１から第１データ信号ＶdG[4k-3]が供給され、（４ｋ−３）番目の第３データ線１４Bには、信号線３１２から第２データ信号ＶdR[4k-3]が供給され、（４ｋ−２）番目の第１データ線１４Gには、信号線３１３から第１データ信号ＶdG[4k-2]が供給され、（４ｋ−１）番目の第１データ線１４Gには、信号線３１４から第１データ信号ＶdG[4k-1]が供給され、（４ｋ−１）番目の第３データ線１４Bには、信号線３１５から第２データ信号ＶdR[4k-1]が供給され、（４ｋ）番目の第１データ線１４Gには、信号線３１６から第１データ信号ＶdG[4k]が供給される。なお、第１データ信号ＶdGが供給される信号線３１１、３１３、３１４、３１６を第１信号線と称し、第３データ信号ＶdBが供給される信号線３１２、３１５を第３信号線と称する場合がある。
【００６３】
同様に、（６Ｋ）本の第２領域接続データ線も、左側から６本毎に、Ｋ個のグループにグループ化され、（６Ｋ）個の第２領域トランジスターも、左側から６個毎に、Ｋ個のグループにグループ化される。
シフトレジスタ４１は、Ｋ個の選択信号Ｓ2[1]〜Ｓ2[K]を出力する。選択信号Ｓ2[1]〜Ｓ2[K]は、第２多重データ信号Ｄ2の電位の切替に同期して、１水平走査期間の中で、順次排他的にＬレベルに設定される。第２多重データ信号Ｄ2を構成する多重データ信号ＤR1、ＤB2、ＤR2、ＤR3、ＤB4、ＤR4の各々も、当該多重データ信号が供給される信号線４１０に、第２領域トランジスターを介して電気的に接続される複数のデータ線１４に対して供給されるデータ信号Ｖdを時分割多重した信号である。また、選択信号Ｓ2[k]は、ｋ番目のグループに属する６個の第２領域トランジスターのゲートに、共通に供給される。これにより、（６Ｋ）個の第２領域トランジスターは、１番目、２番目、…、Ｋ番目のグループ毎に、順次排他的にオンする。
そして、選択信号Ｓ2[k]がＬレベルに設定され、ｋ番目のグループに属する６個の第２領域トランジスターがオンする場合、（４ｋ−３）番目の第２データ線１４Rには、信号線４１１から第２データ信号ＶdR[4k-3]が供給され、（４ｋ−２）番目の第２データ線１４Rには、信号線４１２から第２データ信号ＶdR[4k-2]が供給され、（４ｋ−２）番目の第３データ線１４Bには、信号線４１３から第２データ信号ＶdR[4k-2]が供給され、（４ｋ−１）番目の第２データ線１４Rには、信号線４１４から第２データ信号ＶdR[4k-1]が供給され、（４ｋ）番目の第２データ線１４Rには、信号線４１５から第２データ信号ＶdR[4k]が供給され、（４ｋ）番目の第３データ線１４Bには、信号線４１６から第２データ信号ＶdR[4k]が供給される。なお、第２データ信号ＶdRが供給される信号線４１１、４１２、４１４、４１５を第２信号線と称し、第３データ信号ＶdBが供給される信号線４１３、４１６を第４信号線と称する場合がある。
【００６４】
以上のように、第３実施形態では、データ信号Ｖdを１２相に展開して、データ線駆動回路に供給し、１２列のデータ線１４に対して同時にデータ信号Ｖdを供給した。この場合、データ信号Ｖdを１列のデータ線１４毎に点順次で供給する場合に比べ、各データ線１４を充電する時間を長くする（約１２倍とする）ことができる。また、シフトレジスタからの出力信号数を低減することができ、データ線駆動回路の構成を簡素化することが可能となる。
【００６５】
デジタルの画像信号Ｖidからアナログのデータ信号Ｖdへの変換には、ラッチ回路、ＤＡ変換回路、バッファ回路等を、備える必要があり、回路規模が大きくなる。このようなデータ信号Ｖdを生成するための回路を表示パネルに設ける場合、表示パネルが大型化し、または、データ線１４の狭ピッチ化が困難になるという問題が生じることがある。
これに対して、第３実施形態では、デジタルの画像信号Ｖidからアナログのデータ信号Ｖdへの変換を行うための回路（第１出力回路３００及び第２出力回路４００）を表示パネル２ｂの外部に設けた。これにより、表示パネル２ｂの小型化、及び、データ線１４の狭ピッチ化を可能とした。
【００６６】
また、第３実施形態では、ＲＧＢの中で視感度の最も高い緑色を表示する第１画素ＰixGに対応するＮ個のトランジスターＴGを、第１領域に集約して配置した。
これにより、半導体プロセスの誤差に起因する、トランジスターＴG毎の素子特性のばらつきを小さく抑えることができ、表示ムラが観察者に知覚される可能性を低減した。
【００６７】
なお、上述した第３実施形態では、信号線３１０及び信号線４１０の各々は、６本の信号線より構成されたが、信号線３１０及び信号線４１０の各々を構成する信号線の本数を、「５」以下としてもよいし、「７」以上としてもよい。
信号線３１０及び信号線４１０の各々が、所定数の信号線より構成される場合、第１領域接続データ線及び第２領域接続データ線も、所定数毎にグループ化すればよい。また、この場合、第１領域トランジスター（及び、第２領域トランジスター）を、第１領域接続データ線（または、第２領域接続データ線）の各グループに対応するように、所定数毎にグループ化すればよい。そして、シフトレジスタ３１（及び、シフトレジスタ４１）は、グループ化された所定数の第１領域トランジスター（または、第２領域トランジスター）毎に、共通の選択信号Ｓを供給すればよい。
なお、上述した第３実施形態では、Ｎを４の倍数としたが、Ｎは４の倍数以外の値であってもよい。
【００６８】
また、上述した第３実施形態では、トランジスターＴG、トランジスターＴR、及び、トランジスターＴBをＰチャネル型としたが、Ｎチャネル型としてもよい。また、Ｐチャネル型及びＮチャネル型を適宜組み合わせてもよい。また、上述した第３実施形態では、トランジスターＴG、トランジスターＴR、及び、トランジスターＴBを、ＭＯＳ型のトランジスターとしたが、薄膜トランジスターであってもよい。
【００６９】
また、上述した第３実施形態では、第１出力回路３００及び第２出力回路４００を、表示パネル２の外部に設けたが、表示パネル２が、第１出力回路３００及び第２出力回路４００を含む構成であってもよい。例えば、第１出力回路３００及び第２出力回路４００を、表示部１０、走査線駆動回路２０、第１データ線駆動回路３０ｂ、第２データ線駆動回路４０ｂ等とともにシリコン基板上に集積化してもよい。
【００７０】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００７１】
＜変形例１＞  
上述した実施形態では、第１データ信号出力部を第１領域に配置したが、第１データ信号出力部を第２領域に配置してもよい。
第１データ信号出力部が、第１領域または第２領域の一方に集約されて配置される場合、第１データ信号出力部を構成する各要素（例えば、第１実施形態でいえば、第１データ信号出力回路ＵG）毎の素子特性のばらつきが小さくなる。第１データ信号出力部は、ＲＧＢの中で視感度が最も高い緑色を表示する第１画素ＰixGに対してデータ信号を供給する。従って、第１データ信号出力部を構成する各要素毎の素子特性のばらつきを小さく抑えることで、表示ムラが観察者に知覚される可能性を低減することができる。
【００７２】
＜変形例２＞  
上述した実施形態及び変形例では、第３データ信号出力部を第１領域及び第２領域に分散して配置したが、第３データ信号出力部の代わりに、第２データ信号出力部を第１領域及び第２領域に分散して配置してもよい。
図９は、変形例２に係るデータ線駆動回路（第１データ線駆動回路３０及び第２データ線駆動回路４０）と表示部１０との関係を示したブロック図である。図９に示すように、Ｎ個の第１データ信号出力回路ＵG[1]〜ＵG[N]は、第１データ線駆動回路３０（すなわち、第１領域）に設けられ、Ｎ個の第３データ信号出力回路ＵB[1]〜ＵB[N]は、第２データ線駆動回路４０（すなわち、第２領域）に設けられる。一方、Ｎ個の第２データ信号出力回路ＵR[1]〜ＵR[N]のうち、奇数番目の第２データ信号出力回路ＵR[1]、ＵR[3]、…、ＵR[N-1]は、第１データ線駆動回路３０（第１領域）に設けられ、偶数番目の第２データ信号出力回路ＵR[2]、ＵR[4]、…、ＵR[N]は、第２データ線駆動回路４０（第２領域）に設けられる。
この場合であっても、（３Ｎ）個のデータ信号出力回路Ｕを第１領域及び第２領域に分散して配置するため、データ線１４及び画素Ｐixの狭ピッチ化と、データ線駆動回路の製造の簡素化とが可能となる。また、ＲＧＢの中で最も視感度の高い緑色を表示する第１画素ＰixGにデータ信号を供給する第１データ信号出力回路ＵG[1]〜ＵG[N]（第１データ信号出力部）を、第１領域または第２領域の一方に集約して配置するため、表示品位の劣化を防止することができる。
【００７３】
＜変形例３＞  
上述した実施形態及び変形例では、第２データ信号出力部または第３データ信号出力部のうちの一方を、第１領域及び第２領域に分散して配置したが、第２データ信号出力部及び第３データ信号出力部の双方を、第１領域及び第２領域に分散して配置してもよい。
図１０は、変形例３に係るデータ線駆動回路（第１データ線駆動回路３０及び第２データ線駆動回路４０）と表示部１０との関係を示したブロック図である。図１０に示すように、Ｎ個の第１データ信号出力回路ＵG[1]〜ＵG[N]は、第１データ線駆動回路３０（すなわち、第１領域）に設けられる。また、ｎを１以上Ｎ以下の整数として、ｎがｎ≡１（ｍｏｄ４）を満たす場合、第２データ信号出力回路ＵR[n]は第２データ線駆動回路４０（第２領域）に設けられ、第３データ信号出力回路ＵB[n]は第１データ線駆動回路３０（第１領域）に設けられ、ｎがｎ≡３（ｍｏｄ４）を満たす場合、第２データ信号出力回路ＵR[n]は第１データ線駆動回路３０（第１領域）に設けられ、第３データ信号出力回路ＵB[n]は第２データ線駆動回路４０（第２領域）に設けられ、ｎが偶数の場合、第２データ信号出力回路ＵR[n]及び第３データ信号出力回路ＵB[n]は第２データ線駆動回路４０（第２領域）に設けられる。
この場合であっても、（３Ｎ）個のデータ信号出力回路Ｕを第１領域及び第２領域に分散して配置することで、データ線１４及び画素Ｐixの狭ピッチ化と、データ線駆動回路の製造の簡素化とが可能となる。また、ＲＧＢの中で最も視感度の高い緑色を表示する第１画素ＰixGにデータ信号を供給する第１データ信号出力回路ＵG[1]〜ＵG[N]（第１データ信号出力部）を、第１領域または第２領域の一方に集約して配置するため、表示品位の劣化を防止することができる。
【００７４】
＜変形例４＞  
上述した実施形態及び変形例において、表示部１０は、緑色を表示する第１画素ＰixG、赤色を表示する第２画素ＰixR、及び、青色を表示する第３画素ＰixBの、３種類の画素を備えたが、本発明はこのような形態に限定されるものではなく、４種類以上の画素Ｐixを備えてもよい。例えば、表示部１０は、赤色、緑色、青色以外の色（例えば、白色、黄色等）を表示する複数の第４画素を備えてもよい。
具体的には、変形例４に係る表示パネル２には、複数の第１データ線１４G、複数の第２データ線１４R、及び、複数の第３データ線１４Bに加えて、複数の第４データ線が設けられ、複数の第４データ線と走査線１２との交差に対応して、複数の第４画素が設けられる。この場合、変形例４に係るデータ線駆動回路は、複数の第４データ線の各々に対応した複数の第４データ信号出力回路を備える。そして、第４データ信号出力回路の各々は第４データ線を介して第４画素にデータ信号を供給する。なお、これら複数の第４データ信号出力回路を、「第４データ信号出力部」と総称する場合がある。これら複数の第４データ信号出力回路は、第１領域または第２領域の一方に集約されて配置されてもよいし、第１領域及び第２領域に分散して配置されてもよい。但し、第４色が白色の場合には、白色は視感度の高い緑色を含むため、複数の第４データ信号出力回路は、第１領域または第２領域の一方に配置されることが好ましい。なお、変形例４に係るデータ線駆動回路においても、第１画素ＰixGにデータ信号を供給する第１データ信号出力部は、第１領域または第２領域の一方に集約して配置される。
このように、変形例４に係る電気光学装置は、複数のデータ信号出力回路Ｕは、第１領域及び第２領域に分散して配置されるため、データ線１４及び画素Ｐixの狭ピッチ化が可能となる。また、第１データ信号出力部を第１領域または第２領域の一方に集約して配置するため、表示品位の劣化を防止することができる。
【００７５】
＜変形例５＞  
上述した実施形態及び変形例において、各画素Ｐixが備える画素回路１１０は、トランジスター１２１、１２２、ＯＬＥＤ１３０、及び、保持容量１３２を備えるものであったが、本発明に係る画素回路１１０はこのような構成に限定されるものではなく、例えばトランジスター１２１、１２２以外のトランジスターを備える構成であってもよい。例えばＯＬＥＤ１３０の代わりに、無機発光ダイオードやＬＥＤ（Light Emitting Diode）など、電流に応じた輝度で発光する素子を備えるものであってもよい。また、ＯＬＥＤ１３０の代わりに液晶素子を備えるものであってもよい。いずれにしても、画素回路を備える画素が、データ線１４を介して供給されるデータ信号Ｖdの規定する階調を表示するものであればよい。
図１１は、変形例５に係る画素回路１１０ａの回路図である。画素回路１１０ａは、透明な画素電極２３１、透明な共通電極２３３、並びに、画素電極２３１及び共通電極２３３の間に設けられた液晶２３２を備える液晶素子２３０と、画素電極２３１及びデータ線１４の間に電気的に接続されたトランジスター１２２と、一端が画素電極２３１に電気的に接続されるとともに他端が共通電極１１８に電気的に接続される保持容量１３２ａとを備える。共通電極２３３には共通電位Ｖｃｏｍが供給される。また、画素電極２３１には、保持容量１３２がオン状態のときに、データ線１４よりデータ信号Ｖdが供給される。この場合、当該画素回路１１０ａを備える画素は、データ信号Ｖdの規定する階調を表示する。
【００７６】
＜変形例６＞
上述した実施形態及び変形例において、電気光学装置１は制御部５を備え、制御部５は、第１データ線駆動回路３０に画像信号Ｖid1を供給するとともに第２データ線駆動回路４０に画像信号Ｖid2を供給するものであったが、電気光学装置１は、第１データ線駆動回路３０に対して画像信号Ｖid1を供給する制御部５ａと、第２データ線駆動回路４０に対して画像信号Ｖid2を供給する制御部５ｂとを備えるものであってもよい。
図１２は、変形例６に係る電気光学装置１の構成を示す斜視図である。図１２に示すように、電気光学装置１は、ＦＰＣ基板５０２ａ上に設けられた制御部５ａと、ＦＰＣ基板５０２ｂ上に設けられた制御部５ｂとを備える。制御部５ａは、第１データ線駆動回路３０に対して画像信号Ｖid1を供給する一方、制御部５ｂは、第２データ線駆動回路４０に対して画像信号Ｖid2を供給する。制御部５ａは、端子５０３ａを介して図示省略された上位回路に接続され、制御部５ｂは、端子５０３ｂを介して図示省略された上位回路に接続される。
【００７７】
＜変形例７＞
上述した実施形態及び変形例において、表示パネル２と制御部５とは別体としたが、表示パネル２及び制御部５を同一の基板上に形成してもよい。例えば、制御部５を、表示部１０、走査線駆動回路２０、第１データ線駆動回路３０、第２データ線駆動回路４０等とともに、シリコン基板に集積化してもよい。
また、例えば、上述した変形例６では、制御部５ａ及び制御部５ｂを、表示パネル２の外部に設けたが、制御部５ａ及び制御部５ｂと表示パネル２とを同一の基板上に形成してもよい。
【００７８】
＜変形例８＞
上述した実施形態及び変形例では、表示パネルをシリコン基板に集積した構成としたが、他の半導体基板に集積した構成してもよい。例えば、ＳＯＩ基板であってもよい。また、アモルファスシリコンプロセスやポリシリコンプロセスを適用してガラス基板等に形成してもよい。いずれにしても、本発明は、画素回路１１０が微細化され、データ線１４が狭ピッチ化される場合に有効である。
また、画素回路の微細化を必要としない場合に、本発明を適用してもよい。
【００７９】
＜変形例９＞  
上述した実施形態及び変形例では、画素回路１１０におけるトランジスター１２１、１２２をＰチャネル型としたが、Ｎチャネル型としてもよい。また、Ｐチャネル型及びＮチャネル型を適宜組み合わせてもよい。
例えば、トランジスター１２１、１２２をＮチャネル型とする場合、上述した実施形態及び変形例における、データ信号Ｖdとは、正負が逆転した電位を、各画素回路１１０に供給すればよい。また、この場合、トランジスター１２１、１２２のソース及びドレインは、上述した実施形態及び変形例とは逆転した関係となる。
また、上述した実施形態及び変形例では、各トランジスターはＭＯＳ型のトランジスターとしたが、薄膜トランジスターであってもよい。
【００８０】
＜応用例＞
次に、実施形態等や応用例に係る電気光学装置１を適用した電子機器について説明する。電気光学装置１は、画素が小サイズで高精細な表示な用途に向いている。そこで、電子機器として、ヘッドマウント・ディスプレイを例に挙げて説明する。
【００８１】
図１３は、ヘッドマウント・ディスプレイの外観を示す図であり、図１４は、その光学的な構成を示す図である。
まず、図１３に示されるように、ヘッドマウント・ディスプレイ１０００は、外観的には、一般的な眼鏡と同様にテンプル１０１０や、ブリッジ１０２０、レンズ１００１Ｌ、１００１Ｒを有する。また、ヘッドマウント・ディスプレイ１０００は、図１４に示されるように、ブリッジ１０２０近傍であってレンズ１００１Ｌ、１００１Ｒの奥側（図において下側）には、左眼用の電気光学装置１Ｌと右眼用の電気光学装置１Ｒとが設けられる。
電気光学装置１Ｌの画像表示面は、図１４において左側となるように配置している。これによって電気光学装置１Ｌによる表示画像は、光学レンズ１００２Ｌを介して図において９時の方向に出射する。ハーフミラー１００３Ｌは、電気光学装置１Ｌによる表示画像を６時の方向に反射させる一方で、１２時の方向から入射した光を透過させる。
電気光学装置１Ｒの画像表示面は、電気光学装置１Ｌとは反対の右側となるように配置している。これによって電気光学装置１Ｒによる表示画像は、光学レンズ１００２Ｒを介して図において３時の方向に出射する。ハーフミラー１００３Ｒは、電気光学装置１Ｒによる表示画像を６時方向に反射させる一方で、１２時の方向から入射した光を透過させる。
【００８２】
この構成において、ヘッドマウント・ディスプレイ１０００の装着者は、電気光学装置１Ｌ、１Ｒによる表示画像を、外の様子と重ね合わせたシースルー状態で観察することができる。
また、このヘッドマウント・ディスプレイ１０００において、視差を伴う両眼画像のうち、左眼用画像を電気光学装置１Ｌに表示させ、右眼用画像を電気光学装置１Ｒに表示させると、装着者に対し、表示された画像があたかも奥行きや立体感を持つかのように知覚させることができる（３Ｄ表示）。
【００８３】
なお、電気光学装置１については、ヘッドマウント・ディスプレイ１０００のほかにも、ビデオカメラやレンズ交換式のデジタルカメラなどにおける電子式ビューファインダーにも適用可能である。
【符号の説明】
【００８４】
１……電気光学装置、２……表示パネル、１０……表示部、１２……走査線、１４……データ線、１４G……第１データ線、１４R……第２データ線、１４B……第３データ線、２０……走査線駆動回路、３０……第１データ線駆動回路、４０……第２データ線駆動回路、Ｐix……画素、ＰixG……第１画素、ＰixR……第２画素、ＰixB……第３画素、Ｕ……データ信号出力回路、ＵG……第１データ信号出力回路、ＵR……第２データ信号出力回路、ＵB……第３データ信号出力回路。
【図１】
0005966537.tif 000002
【図２】
0005966537.tif 000003
【図３】
0005966537.tif 000004
【図４】
0005966537.tif 000005
【図５】
0005966537.tif 000006
【図６】
0005966537.tif 000007
【図７】
0005966537.tif 000008
【図８】
0005966537.tif 000009
【図９】
0005966537.tif 000010
【図１０】
0005966537.tif 000011
【図１１】
0005966537.tif 000012
【図１２】
0005966537.tif 000013
【図１３】
0005966537.tif 000014
【図１４】
0005966537.tif 000015